【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
ファイルを処理する方法であって、
前記ファイルの中の動作点参照トラックを取得するステップであって、前記ファイルの中のビットストリームにとって利用可能な動作点が、前記動作点参照トラックの中でシグナリングされる動作点情報サンプルグループを使用して前記ファイルの中に記述される、ステップと、
前記ファイルの中の1つまたは複数の追加トラックを取得するステップであって、動作点情報サンプルグループが、前記追加トラックのいずれの中でもシグナリングされない、ステップと、
前記1つまたは複数の追加トラックのうちの各それぞれの追加トラックのそれぞれのサンプルごとに、前記それぞれのサンプルを前記動作点情報サンプルグループの一部と見なすべきかどうかを決定するステップであって、
前記それぞれの追加トラックの中の前記それぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
ステップと、
前記ビットストリームから前記動作点を抽出するサブビットストリーム抽出プロセスを実行するステップと
を備える、方法。
【請求項２】
前記動作点参照トラックを取得するステップが、
サンプルグループ記述ボックスを前記ファイルから取得するステップであって、前記サンプルグループ記述ボックスが、前記動作点に対する出力レイヤセット、前記動作点に対する最大時間識別子、ならびに前記動作点に対するプロファイル、レベル、およびティアのシグナリングを指定するサンプルグループ記述エントリを含む、ステップと、
前記動作点情報サンプルグループの中のサンプルのセットを指定するとともに前記サンプルグループ記述ボックスの中の前記サンプルグループ記述エントリのインデックスを指定するサンプルツーグループボックスを前記ファイルから取得するステップと
を備える、請求項1に記載の方法。
【請求項３】
前記動作点情報サンプルグループが、第1の動作点情報サンプルグループであり、
前記第1の動作点情報サンプルグループが、前記動作点参照トラックの中のサンプルの第1のセットを備え、
前記動作点参照トラックが、前記動作点参照トラックの中のサンプルの第2のセットを備える第2の動作点サンプルグループを含み、
サンプルの前記第1のセットの中で最も遅い復号時間を有するサンプルの復号時間と、サンプルの前記第2のセットの中で最も早い復号時間を有するサンプルの復号時間との間の復号時間において出現するサンプルが前記動作点参照トラックの中になく、
サンプルの前記第1のセットの中で前記最も遅い復号時間を有する前記サンプルの前記復号時間と、サンプルの前記第2のセットの中で前記最も早い復号時間を有する前記サンプルの復号時間との間の復号時間を有する1つまたは複数のサンプルが前記1つまたは複数の追加トラックのうちの特定の追加トラックの中にある、
請求項1に記載の方法。
【請求項４】
前記特定の追加トラックは、前記動作点参照トラックよりも高いフレームレートを有する、請求項3に記載の方法。
【請求項５】
前記ビットストリームが、ベースレイヤおよび1つまたは複数のエンハンスメントレイヤを含み、
前記動作点参照トラックが、前記ベースレイヤを含み、
前記1つまたは複数の追加トラックの各それぞれのトラックが、前記1つまたは複数のエンハンスメントレイヤのうちのそれぞれのエンハンスメントレイヤを含む、
請求項1に記載の方法。
【請求項６】
前記動作点を抽出した後、前記動作点のビデオデータを復号するステップ、または
前記動作点の符号化ピクチャを含まない前記ファイルのサンプルを送信することなく、前記動作点の符号化ピクチャを含む前記ファイルのサンプルを送信するステップ
のうちの少なくとも1つをさらに備える、請求項1に記載の方法。
【請求項７】
前記動作点参照トラックの各それぞれのサンプルおよび前記追加トラックの各それぞれのサンプルが、同じ時間インスタンスに対応する1つまたは複数の符号化ピクチャを備えるそれぞれのアクセスユニットを備える、請求項1に記載の方法。
【請求項８】
ファイルを生成する方法であって、
前記ファイルの中に動作点参照トラックを生成するステップであって、前記ファイルの中のビットストリームにとって利用可能な動作点を記述する動作点情報サンプルグループを前記動作点参照トラックの中でシグナリングするステップを備える、ステップと、
前記ファイルの中に1つまたは複数の追加トラックを生成するステップであって、
動作点情報サンプルグループが、前記追加トラックのいずれの中でもシグナリングされず、
前記それぞれの追加トラックの中のそれぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
ステップと
を備える、方法。
【請求項９】
前記動作点参照トラックを生成するステップが、
サンプルグループ記述ボックスを前記ファイルの中に生成するステップであって、前記サンプルグループ記述ボックスが、前記動作点に対する出力レイヤセット、前記動作点に対する最大時間識別子、ならびに前記動作点に対するプロファイル、レベル、およびティアのシグナリングを指定するサンプルグループ記述エントリを含む、ステップと、
前記動作点情報サンプルグループの中のサンプルのセットを指定するとともに前記サンプルグループ記述ボックスの中の前記サンプルグループ記述エントリのインデックスを指定するサンプルツーグループボックスを前記ファイルの中に生成するステップと
を備える、請求項8に記載の方法。
【請求項１０】
前記動作点情報サンプルグループが、第1の動作点情報サンプルグループであり、
前記第1の動作点情報サンプルグループが、前記動作点参照トラックの中のサンプルの第1のセットを備え、
前記動作点参照トラックが、前記動作点参照トラックの中のサンプルの第2のセットを備える第2の動作点サンプルグループを含み、
サンプルの前記第1のセットの中で最も遅い復号時間を有するサンプルの復号時間と、サンプルの前記第2のセットの中で最も早い復号時間を有するサンプルの復号時間との間の復号時間において出現するサンプルが前記動作点参照トラックの中になく、
サンプルの前記第1のセットの中で前記最も遅い復号時間を有する前記サンプルの前記復号時間と、サンプルの前記第2のセットの中で前記最も早い復号時間を有する前記サンプルの復号時間との間の復号時間を有する1つまたは複数のサンプルが前記1つまたは複数の追加トラックのうちの特定の追加トラックの中にある、
請求項8に記載の方法。
【請求項１１】
前記特定の追加トラックは、前記動作点参照トラックよりも高いフレームレートを有する、請求項10に記載の方法。
【請求項１２】
前記ビットストリームが、ベースレイヤおよび1つまたは複数のエンハンスメントレイヤを含み、
前記動作点参照トラックが、前記ベースレイヤを含み、
前記1つまたは複数の追加トラックの各それぞれのトラックが、前記1つまたは複数のエンハンスメントレイヤのうちのそれぞれのエンハンスメントレイヤを含む、
請求項8に記載の方法。
【請求項１３】
前記ビットストリームを生成するためにビデオデータを符号化するステップをさらに備える、請求項8に記載の方法。
【請求項１４】
前記動作点参照トラックの各それぞれのサンプルおよび前記追加トラックの各それぞれのサンプルが、同じ時間インスタンスに対応する1つまたは複数の符号化ピクチャを備えるそれぞれのアクセスユニットを備える、請求項8に記載の方法。
【請求項１５】
ファイルを処理するための装置であって、
前記ファイルを記憶するように構成されたメモリと、
前記メモリに結合された1つまたは複数のプロセッサであって、
前記ファイルの中の動作点参照トラックを取得することであって、前記ファイルの中のビットストリームにとって利用可能な動作点が、前記動作点参照トラックの中でシグナリングされる動作点情報サンプルグループを使用して前記ファイルの中に記述される、取得することと、
前記ファイルの中の1つまたは複数の追加トラックを取得することであって、動作点情報サンプルグループが、前記追加トラックのいずれの中でもシグナリングされない、取得することと、
前記1つまたは複数の追加トラックのうちの各それぞれの追加トラックのそれぞれのサンプルごとに、前記それぞれのサンプルを前記動作点情報サンプルグループの一部と見なすべきかどうかを決定することであって、
前記それぞれの追加トラックの中の前記それぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
決定することと、
前記ビットストリームから前記動作点を抽出するサブビットストリーム抽出プロセスを実行することと
を行うように構成される、1つまたは複数のプロセッサと
を備える、装置。
【請求項１６】
前記1つまたは複数のプロセッサは、前記動作点参照トラックを取得することの一部として、前記1つまたは複数のプロセッサが、
サンプルグループ記述ボックスを前記ファイルから取得することであって、前記サンプルグループ記述ボックスが、前記動作点に対する出力レイヤセット、前記動作点に対する最大時間識別子、ならびに前記動作点に対するプロファイル、レベル、およびティアのシグナリングを指定するサンプルグループ記述エントリを含む、取得することと、
前記動作点情報サンプルグループの中のサンプルのセットを指定するとともに前記サンプルグループ記述ボックスの中の前記サンプルグループ記述エントリのインデックスを指定するサンプルツーグループボックスを前記ファイルから取得することと
を行うように構成される、請求項15に記載の装置。
【請求項１７】
前記動作点情報サンプルグループが、第1の動作点情報サンプルグループであり、
前記第1の動作点情報サンプルグループが、前記動作点参照トラックの中のサンプルの第1のセットを備え、
前記動作点参照トラックが、前記動作点参照トラックの中のサンプルの第2のセットを備える第2の動作点サンプルグループを含み、
サンプルの前記第1のセットの中で最も遅い復号時間を有するサンプルの復号時間と、サンプルの前記第2のセットの中で最も早い復号時間を有するサンプルの復号時間との間の復号時間において出現するサンプルが前記動作点参照トラックの中になく、
サンプルの前記第1のセットの中で前記最も遅い復号時間を有する前記サンプルの前記復号時間と、サンプルの前記第2のセットの中で前記最も早い復号時間を有する前記サンプルの復号時間との間の復号時間を有する1つまたは複数のサンプルが前記1つまたは複数の追加トラックのうちの特定の追加トラックの中にある、
請求項15に記載の装置。
【請求項１８】
前記特定の追加トラックは、前記動作点参照トラックよりも高いフレームレートを有する、請求項17に記載の装置。
【請求項１９】
前記ビットストリームが、ベースレイヤおよび1つまたは複数のエンハンスメントレイヤを含み、
前記動作点参照トラックが、前記ベースレイヤを含み、
前記1つまたは複数の追加トラックの各それぞれのトラックが、前記1つまたは複数のエンハンスメントレイヤのうちのそれぞれのエンハンスメントレイヤを含む、
請求項15に記載の装置。
【請求項２０】
前記1つまたは複数のプロセッサが、
前記動作点を抽出した後、前記動作点のビデオデータを復号すること、または
前記ビットストリームの抽出されない動作点を転送することなく、前記動作点を転送すること
のうちの少なくとも1つを実行するようにさらに構成される、請求項15に記載の装置。
【請求項２１】
前記動作点参照トラックの各それぞれのサンプルおよび前記追加トラックの各それぞれのサンプルが、同じ時間インスタンスに対応する1つまたは複数の符号化ピクチャを備えるそれぞれのアクセスユニットを備える、請求項15に記載の装置。
【請求項２２】
ファイルを生成するための装置であって、
前記ファイルを記憶するように構成されたメモリと、
前記メモリに結合された1つまたは複数のプロセッサであって、
前記ファイルの中に動作点参照トラックを生成することであって、前記1つまたは複数のプロセッサは、前記動作点参照トラックを生成することの一部として、前記1つまたは複数のプロセッサが、前記ファイルの中のビットストリームにとって利用可能な動作点を記述する動作点情報サンプルグループを前記動作点参照トラックの中でシグナリングするように構成される、生成することと、
前記ファイルの中に1つまたは複数の追加トラックを生成することであって、
動作点情報サンプルグループが、前記追加トラックのいずれの中でもシグナリングされず、
前記それぞれの追加トラックの中のそれぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
生成することと
を行うように構成される、1つまたは複数のプロセッサと
を備える、装置。
【請求項２３】
前記1つまたは複数のプロセッサは、前記動作点参照トラックを生成することの一部として、前記1つまたは複数のプロセッサが、
サンプルグループ記述ボックスを前記ファイルの中に生成することであって、前記サンプルグループ記述ボックスが、前記動作点に対する出力レイヤセット、前記動作点に対する最大時間識別子、ならびに前記動作点に対するプロファイル、レベル、およびティアのシグナリングを指定するサンプルグループ記述エントリを含む、生成することと、
前記動作点情報サンプルグループの中のサンプルのセットを指定するとともに前記サンプルグループ記述ボックスの中の前記サンプルグループ記述エントリのインデックスを指定するサンプルツーグループボックスを前記ファイルの中に生成することと
を行うように構成される、請求項22に記載の装置。
【請求項２４】
前記動作点情報サンプルグループが、第1の動作点情報サンプルグループであり、
前記第1の動作点情報サンプルグループが、前記動作点参照トラックの中のサンプルの第1のセットを備え、
前記動作点参照トラックが、前記動作点参照トラックの中のサンプルの第2のセットを備える第2の動作点サンプルグループを含み、
サンプルの前記第1のセットの中で最も遅い復号時間を有するサンプルの復号時間と、サンプルの前記第2のセットの中で最も早い復号時間を有するサンプルの復号時間との間の復号時間において出現するサンプルが前記動作点参照トラックの中になく、
サンプルの前記第1のセットの中で前記最も遅い復号時間を有する前記サンプルの前記復号時間と、サンプルの前記第2のセットの中で前記最も早い復号時間を有する前記サンプルの復号時間との間の復号時間を有する1つまたは複数のサンプルが前記1つまたは複数の追加トラックのうちの特定の追加トラックの中にある、
請求項22に記載の装置。
【請求項２５】
前記特定の追加トラックは、前記動作点参照トラックよりも高いフレームレートを有する、請求項24に記載の装置。
【請求項２６】
前記ビットストリームが、ベースレイヤおよび1つまたは複数のエンハンスメントレイヤを含み、
前記動作点参照トラックが、前記ベースレイヤを含み、
前記1つまたは複数の追加トラックの各それぞれのトラックが、前記1つまたは複数のエンハンスメントレイヤのうちのそれぞれのエンハンスメントレイヤを含む、
請求項22に記載の装置。
【請求項２７】
前記1つまたは複数のプロセッサが、前記ビットストリームを生成するためにビデオデータを符号化するようにさらに構成される、請求項22に記載の装置。
【請求項２８】
前記動作点参照トラックの各それぞれのサンプルおよび前記追加トラックの各それぞれのサンプルが、同じ時間インスタンスに対応する1つまたは複数の符号化ピクチャを備えるそれぞれのアクセスユニットを備える、請求項22に記載の装置。
【請求項２９】
ファイルを処理するための装置であって、
前記ファイルの中の動作点参照トラックを取得するための手段であって、前記ファイルの中のビットストリームにとって利用可能な動作点が、前記動作点参照トラックの中でシグナリングされる動作点情報サンプルグループを使用して前記ファイルの中に記述される、手段と、
前記ファイルの中の1つまたは複数の追加トラックを取得するための手段であって、動作点情報サンプルグループが、前記追加トラックのいずれの中でもシグナリングされない、手段と、
前記1つまたは複数の追加トラックのうちの各それぞれの追加トラックのそれぞれのサンプルごとに、前記それぞれのサンプルを前記動作点情報サンプルグループの一部と見なすべきかどうかを決定するように構成される1つまたは複数のプロセッサであって、
前記それぞれの追加トラックの中の前記それぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
1つまたは複数のプロセッサと、
前記動作点を抽出するサブビットストリーム抽出プロセスを実行するための手段と
を備える、装置。
【請求項３０】
ファイルを生成するための装置であって、
前記ファイルの中に動作点参照トラックを生成するための手段であって、前記ファイルの中のビットストリームにとって利用可能な動作点を記述する動作点情報サンプルグループを前記動作点参照トラックの中でシグナリングするための手段を備える、手段と、
前記ファイルの中に1つまたは複数の追加トラックを生成するための手段であって、
動作点情報サンプルグループが、前記追加トラックのいずれの中でもシグナリングされず、
前記それぞれの追加トラックの中のそれぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
手段と
を備える、装置。
【請求項３１】
命令を記憶する非一時的コンピュータ可読記憶媒体であって、前記命令は、実行されたとき、1つまたは複数のプロセッサに、
ファイルの中の動作点参照トラックを取得することであって、前記ファイルの中のビットストリームにとって利用可能な動作点が、前記動作点参照トラックの中でシグナリングされる動作点情報サンプルグループを使用して前記ファイルの中に記述される、取得することと、
前記ファイルの中の1つまたは複数の追加トラックを取得することであって、動作点情報サンプルグループが、前記追加トラックのいずれの中でもシグナリングされない、取得することと、
前記1つまたは複数の追加トラックのうちの各それぞれの追加トラックのそれぞれのサンプルごとに、前記それぞれのサンプルを前記動作点情報サンプルグループの一部と見なすべきかどうかを決定することであって、
前記それぞれの追加トラックの中の前記それぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
決定することと、
前記ビットストリームから前記動作点を抽出するサブビットストリーム抽出プロセスを実行することと
を行わせる、非一時的コンピュータ可読記憶媒体。
【請求項３２】
命令を記憶する非一時的コンピュータ可読記憶媒体であって、前記命令は、実行されたとき、1つまたは複数のプロセッサに、
ファイルの中に動作点参照トラックを生成することであって、前記ファイルの中のビットストリームにとって利用可能な動作点を記述する動作点情報サンプルグループを前記動作点参照トラックの中でシグナリングすることを備える、生成することと、
前記ファイルの中に1つまたは複数の追加トラックを生成することであって、
動作点情報サンプルグループが、前記追加トラックのいずれの中でもシグナリングされず、
前記それぞれの追加トラックの中のそれぞれのサンプルと時間的にコロケートされているサンプルを前記動作点参照トラックが含むことに基づいて、前記それぞれの追加トラックの中の前記それぞれのサンプルが、前記動作点情報サンプルグループの一部と見なされ、
前記それぞれの追加トラックの中の前記それぞれのサンプルと時間的にコロケートされているサンプルを前記動作点参照トラックが含まないことに基づいて、前記それぞれの追加トラックの中の前記それぞれのサンプルが、前記それぞれの追加トラックの前記それぞれのサンプルよりも前の、前記動作点参照トラックの中の最終サンプルの動作点情報サンプルグループの一部と見なされる、
生成することと
を行わせる、非一時的コンピュータ可読記憶媒体。